(57)【要約】【課題】製造コストを低減できるとともに、ボールの飛距離アップと方向性を安定させることのできる、ゴルフクラブ用グリップおよびゴルフクラブを提供する。【解決手段】ゴルフクラブ用グリップ１２は、シャフト１４が挿入されるシャフト挿入孔２２を有する筒状のグリップ本体２０を備えている。グリップ本体２０は、ゴム３６を主成分とする母材にゴム３６よりも比重の大きい重量充填材３８を練り込むことによって得られたゴム系材料４０で形成されており、シャフト挿入孔２２の直径は、シャフト１４の直径よりも小さくされている。ゴルフクラブ１０においては、ゴルフクラブ用グリップ１２のシャフト挿入孔２２にシャフト１４の一方端部１４ａが挿入されており、シャフト１４の他方端部１４ｂには、ヘッド１６が設けられている。【選択図】図３
2017158667.tif 000002
【特許請求の範囲】
【請求項１】
シャフトが挿入されるシャフト挿入孔を有する筒状のグリップ本体を備えるゴルフクラブ用グリップにおいて、
前記グリップ本体は、ゴムを主成分とする母材に前記ゴムよりも比重の大きい重量充填材が分散配置されたゴム系材料で形成されており、
前記シャフト挿入孔の直径は、前記シャフトの直径よりも小さくされていることを特徴とする、ゴルフクラブ用グリップ。
【請求項２】
前記重量充填材は炭酸カルシウムである、請求項１に記載のゴルフクラブ用グリップ。
【請求項３】
前記グリップ本体の表面には、グリップ重心の位置を示す印が設けられている、請求項１または２に記載のゴルフクラブ用グリップ。
【請求項４】
前記グリップ本体の表面には、前記シャフト挿入孔の中心線に対して平行に延びる標線が設けられている、請求項１ないし３のいずれか１項に記載のゴルフクラブ用グリップ。
【請求項５】
請求項１ないし４のいずれか１項に記載のゴルフクラブ用グリップと、
前記ゴルフクラブ用グリップの前記シャフト挿入孔に一方端部が挿入されたシャフトと、
前記シャフトの他方端部に設けられたヘッドとを備える、ゴルフクラブ。
【発明の詳細な説明】
【技術分野】
【０００１】
本発明は、スウィング軌道を安定させることのできるゴルフクラブ用グリップおよびそれを用いたゴルフクラブに関する。
【背景技術】
【０００２】
一般に、ゴルフにおけるボールの飛距離は、ヘッド重量とヘッドスピードで決まるとされている。そのため、従来からヘッドに鉛を装着するなどしてヘッド重量を増大させることが行われている。しかし、ヘッド重量を大きくすると、スウィングの際に手や腕に余計な動きが生じ易くなるため、スウィング軌道が不安定になるおそれがあった。
【０００３】
特許文献１に開示された先行技術は、スウィング軌道を安定させることのできるゴルフクラブに関するものである。この先行技術では、グリップ部の内部に重量物を設けることによって、手や腕の余計な動きを抑制している。
【先行技術文献】
【特許文献】
【０００４】
【特許文献１】特開２００２−２７２８８８号
【０００５】
上記の先行技術では、スウィング軌道を安定させることができるものの、グリップ部と重量物とが別々の部品として構成されていたので、部品点数が増加するとともに製造作業が煩雑になって製造コストが高くなるという問題があった。また、グリップ部と重量物との剥離により品質が損なわれ、グリップ部を握ったときの手の感覚に違和感を覚えるなどの問題を生じるおそれがあった。
【発明の概要】
【０００６】
本発明は、上記問題に対処するためになされたものであり、製造コストを低減できるとともに、品質を安定させることのできる、ゴルフクラブ用グリップおよびゴルフクラブを提供することを目的とする。
【０００７】
上記目的を達成するため、本発明に係るゴルフクラブ用グリップの特徴は、シャフトが挿入されるシャフト挿入孔を有する筒状のグリップ本体を備えるゴルフクラブ用グリップにおいて、前記グリップ本体は、ゴムを主成分とする母材に前記ゴムよりも比重の大きい重量充填材が分散配置されたゴム系材料で形成されており、前記シャフト挿入孔の直径は、前記シャフトの直径よりも小さくされていることにある。
【０００８】
この構成では、ゴムよりも比重の大きい重量充填材によってゴルフクラブ用グリップ自体の重量が大きくされているので、ゴルフクラブ用グリップの内部に重量物を設ける必要がない。また、ゴム系材料からなるグリップ本体の弾性復元力によって、ゴルフクラブ用グリップをシャフトに密着させて簡単に固定することができるとともにグリップ部と重量物とを固定する部材や手間を省略することができる。したがって、部品点数を削減でき、製造コストを低減できる。さらに、ゴルフクラブ用グリップから重量物が剥離するといったことがないので、品質を安定させることができる。
【０００９】
本発明に係るゴルフクラブ用グリップの他の特徴は、前記重量充填材は炭酸カルシウムであることにある。
【００１０】
この構成では、重量充填材として安価な炭酸カルシウムを用いているので、製造コストを低く抑えることができる。また、炭酸カルシウムは錆びることがないので、鉄などに比べて安定した品質を得ることができる。
【００１１】
本発明に係るゴルフクラブ用グリップの他の特徴は、前記グリップ本体の表面には、グリップ重心の位置を示す印が設けられていることにある。
【００１２】
グリップ重心を中心としてゴルフクラブ用グリップを握れば、グリップ自体のバランスがとり易くなりスウィング時における手や腕の余計な動きを抑制でき、スウィング軌道を安定させることができる。上記構成では、印を見てグリップ重心の位置を瞬時に知ることができるので、グリップ重心を中心とした握りを簡単に行うことができる。
【００１３】
本発明に係るゴルフクラブ用グリップの他の特徴は、前記グリップ本体の表面には、前記シャフト挿入孔の中心線に対して平行に延びる標線が設けられていることにある。
【００１４】
ゴルフクラブ用グリップをシャフトに装着する際には、シャフト挿入孔にシャフトの端部が挿入される。このとき、ゴルフクラブ用グリップが周方向にねじれると、標線も一緒にねじれるため、ねじれた標線を戻すことで、ゴルフクラブ用グリップのねじれを簡単に解消できる。
【００１５】
上記目的を達成するため、本発明に係るゴルフクラブの特徴は、前記ゴルフクラブ用グリップと、前記ゴルフクラブ用グリップの前記シャフト挿入孔に一方端部が挿入されたシャフトと、前記シャフトの他方端部に設けられたヘッドとを備えることにある。
【００１６】
この構成では、前記ゴルフクラブ用グリップを備えているので、製造コストを低減できるとともに、品質を安定させることができる。
【図面の簡単な説明】
【００１７】
【図１】本発明の実施形態に係るゴルフクラブおよびゴルフクラブ用グリップの使用状態を示す正面図である。
【図２】本発明の実施形態に係るゴルフクラブ用グリップの構成を示す正面図である。
【図３】図２におけるIII-III線断面図である。
【図４】ゴルフクラブ用グリップをシャフトに装着する工程を示す斜視図である。
【発明を実施するための形態】
【００１８】
以下、本発明に係るゴルフクラブ用グリップおよびゴルフクラブの実施形態について図面を参照しながら説明する。
【００１９】
図１は、本発明の実施形態に係るゴルフクラブ１０およびゴルフクラブ用グリップ１２の使用状態を示す正面図である。図２は、本発明の実施形態に係るゴルフクラブ用グリップ１２の構成を示す正面図であり、図３は、図２におけるIII-III線断面図である。図４は、ゴルフクラブ用グリップ１２をシャフト１４に装着する工程を示す斜視図である。
【００２０】
図１に示すように、ゴルフクラブ１０は、ゴルフクラブ用グリップ１２と、シャフト１４と、ヘッド１６とを備えている。シャフト１４の一方端部１４ａは、ゴルフクラブ用グリップ１２に接続されており、シャフト１４の他方端部１４ｂは、ヘッド１６に接続されている。ゴルフクラブ１０の総重量は、特に限定されるものではないが、本実施形態では３８５ｇに定められている。
【００２１】
なお、図１では、ヘッド１６がボール１８に当たる前の段階におけるゴルフクラブ１０の第１状態と、ヘッド１６がボール１８に当たる瞬間におけるゴルフクラブ１０の第２状態とを一緒に示している。また、図１では、ヘッド１６の重心（以下、「ヘッド重心」という。）を「Ｇ１」で示しており、ゴルフクラブ用グリップ１２の重心（以下、「グリップ重心」という。）を「Ｇ２」で示している。さらに、ゴルフプレーヤーＷがゴルフクラブ１０を振るときの回転中心を「Ｘ」で示しており、回転中心Ｘからヘッド重心Ｇ１までの距離を「Ｌ１」で示しており、回転中心Ｘからグリップ重心Ｇ２までの距離を「Ｌ２」で示している。
【００２２】
図１に示すシャフト１４は、従来から存在する一般的なものである。本実施形態では、シャフト１４の長さが４３ｉｎ（１．０９２ｍ）に定められており、シャフト１４の重量が６０ｇに定められている。また、シャフト１４の硬さは、ヘッド１６からボール１８に力を効率よく伝えるために「従来の適合より硬め」に定められている。なお、シャフト１４の長さ、重量および硬さは、本実施形態に限定されるものではなく、適宜変更されてもよい。例えば、シャフト１４の長さは、３１インチ（アイアン）〜４７インチ（ドライバ）（０．７８７〜１．１９４ｍ）の範囲内で任意に定められてもよい。シャフト１４の重量は、２０〜１３０ｇの範囲内で任意に定められてもよい。
【００２３】
図１に示すヘッド１６は、従来から存在する一般的なものである。本実施形態では、ヘッド１６がウッドクラブヘッドとして構成されており、ヘッド１６の重量が２００ｇに定められている。なお、ヘッド１６の重量は、本実施形態に限定されるものではなく、適宜変更されてもよい。
【００２４】
図２および図３に示すように、ゴルフクラブ用グリップ１２は、筒状のグリップ本体２０を備えている。図３に示すように、グリップ本体２０は、シャフト１４の一方端部１４ａ（図４）が挿入されるシャフト挿入孔２２を有している。シャフト挿入孔２２の直径は、シャフト１４（図４）の直径よりも小さくなるように、全長にわたって均一にされている。
【００２５】
図３に示すように、グリップ本体２０の一方端部２０ａには、シャフト挿入孔２２を外部に向けて開放する開口部２４が設けられており、グリップ本体２０の他方端部２０ｂには、シャフト挿入孔２２に挿入されたシャフト１４の一方端部１４ａ（図４）が当接される当接部２６が設けられている。当接部２６の中央部には、シャフト挿入孔２２の内側空間と外側空間とを連通させるための通気孔２８が設けられている。
【００２６】
図２および図３に示すように、グリップ本体２０の他方端部２０ｂの外径は、一方端部２０ａの外径よりも大きくされている。グリップ本体２０の外面は、一方端部２０ａから他方端部２０ｂに向かって徐々に拡径するようにテーパー状に形成されている。なお、グリップ本体２０の太さおよび長さは、特に限定されるものではないが、本実施形態では、一方端部２０ａの外径が２１ｍｍにされており、他方端部２０ｂの外径が２５ｍｍにされており、長さが２４０ｍｍにされている。グリップ本体２０の表面には、バフ加工や滑り止め加工が施されていてもよい。
【００２７】
図２および図４に示すように、グリップ本体２０の表面には、グリップ重心Ｇ２の位置を示す印３０が設けられている。また、グリップ本体２０の表面には、シャフト挿入孔２２の中心線Ｑ（図３）に対して平行に延びる標線３２が設けられている。本実施形態の印３０は、塗料で記載された円であり、本実施形態の標線３２は、塗料で記載された直線である。標線３２の長さ方向中央部には、標線３２が記載されていない領域３４が設けられており、この領域３４に印３０が記載されている。
【００２８】
従来から存在する一般的なグリップの重量が５０ｇ程度であるのに対し、本実施形態のゴルフクラブ用グリップ１２の重量は、それよりもかなり重めの１３５ｇに定められている。これにより、クラブバランスは、いわゆる「１４インチバランス測定法」による「Ｃ５」か、「Ｃ５」よりもヘッド１６側が軽くなるように調整されている。なお、ゴルフクラブ用グリップ１２の重量は、本実施形態に限定されるものではなく、例えば、７０〜２５０ｇの範囲内で任意に定められてもよい。
【００２９】
図３に示すように、グリップ本体２０は、ゴム３６を主成分とする母材にゴム３６よりも比重の大きい重量充填材３８を均質に練り込むことによって得られたゴム系材料４０を用いて形成されている。ゴム３６には、顔料、加硫剤、助剤、老化防止剤、加工助剤、軟化剤、加硫促進剤などが必要に応じて添加されている。本実施形態では、ゴム３６としてクロロプレンゴム（ＣＲ）が用いられており、重量充填材３８として炭酸カルシウムが用いられている。ゴム３６と重量充填材３８との混合割合は、１：２に定められている。
【００３０】
なお、ゴム３６の種類、重量充填材３８の種類、ゴム３６と重量充填材３８との混合割合は、本実施形態に限定されるものではない。例えば、ゴム３６としては、クロロプレンゴム（ＣＲ）に代えてエチレンプロピレンゴム（ＥＰ）などが用いられてもよい。重量充填材３８としては、炭酸カルシウムに代えてゴムより比重の大きい金属や鉱物などが用いられてもよい。
【００３１】
図４に示すように、ゴルフクラブ用グリップ１２をシャフト１４に装着する際には、シャフト挿入孔２２にシャフト１４の一方端部１４ａが挿入される。このとき、シャフト挿入孔２２の直径はシャフト１４の直径よりも小さいので、グリップ本体２０が弾性変形されることによってシャフト挿入孔２２が拡径される。シャフト挿入孔２２にシャフト１４の一方端部１４ａが挿入された後は、グリップ本体２０の弾性復元力によって、グリップ本体２０がシャフト１４に密着されて固定される。なお、この場合、ゴルフクラブ用グリップ１２とシャフト１４とを接着テープを用いて固定するようにしてもよい。
【００３２】
シャフト挿入孔２２にシャフト１４の一方端部１４ａが挿入されるとき、ゴルフクラブ用グリップ１２が周方向にねじれると、標線３２も一緒にねじれる。したがって、ねじれた標線３２を戻すことで、ゴルフクラブ用グリップ１２のねじれを解消できる。
【００３３】
図１に示すように、ゴルフプレーヤーＷがゴルフクラブ１０でボール１８を打つとき、ゴルフプレーヤーＷは、グリップ重心Ｇ２を中心としてゴルフクラブ用グリップ１２を両手で握り、両腕の付け根を結ぶ直線と背骨との交点を回転中心Ｘとしてゴルフクラブ１０を円軌道で振る。ヘッド１６がボール１８に当たると、その衝撃でボール１８が飛ばされる。
【００３４】
本実施形態では、ヘッド１６の重量Ｍ１が２００ｇ、ゴルフクラブ用グリップ１２の重量Ｍ２が１３５ｇとされている。また、回転中心Ｘからヘッド重心Ｇ１までの距離Ｌ１と回転中心Ｘからグリップ重心Ｇ２までの距離Ｌ２との比率は１：０．３８となっている。ゴルフプレーヤーＷがゴルフクラブ１０を振ったとき、ヘッド１６の接線方向のスピードＶ１は３８ｍ／ｓとなり、ゴルフクラブ用グリップ１２の接線方向のスピードＶ２は３８ｍ／ｓ×０．３８となる。したがって、ヘッド１６の運動量Ｐ１（＝Ｍ１×Ｖ１）は、７６００ｇ・ｍ／ｓ（＝２００ｇ×３８ｍ／ｓ）となり、ゴルフクラブ用グリップ１２の運動量Ｐ２（＝Ｍ２×Ｖ２）は、１９４９ｇ・ｍ／ｓ（＝１３５ｇ×３８ｍ／ｓ×０．３８）となる。また、シャフト１４の影響を除外したゴルフクラブ１０の合計運動量Ｐ（＝Ｐ１＋Ｐ２）は、９５４９ｇ・ｍ／ｓ（＝７６００ｇ・ｍ／ｓ＋１９４９ｇ・ｍ／ｓ）となる。
【００３５】
比較例として、同じゴルフプレーヤーＷがヘッドに１０ｇの鉛を装着した従来のゴルフクラブ（図示省略）を用いてボールを打った場合について検討する。この場合、ヘッドの重量Ｍ１が２００ｇ、ゴルフクラブ用グリップの重量Ｍ２が５０ｇ、距離Ｌ１と距離Ｌ２との比率が１．０４７：０．３８（＝１：０．３６）であるとすると、ヘッドの接線方向のスピードＶ１は、上記実施形態よりもわずかに速い４０ｍ／ｓとなる。また、ゴルフクラブ用グリップの接線方向のスピードＶ２は４０ｍ／ｓ×０．３６となる。したがって、ヘッドの運動量Ｐ１（＝Ｍ１×Ｖ１）は、８０００ｇ・ｍ／ｓ（＝２００ｇ×４０ｍ／ｓ）となり、ゴルフクラブ用グリップの運動量Ｐ２（＝Ｍ２×Ｖ２）は、７２０ｇ・ｍ／ｓ（＝５０ｇ×４０ｍ／ｓ×０．３６）となる。また、シャフトの影響を除外したゴルフクラブの合計運動量Ｐ（＝Ｐ１＋Ｐ２）は、８７２０ｇ・ｍ／ｓ（＝８０００ｇ・ｍ／ｓ＋７２０ｇ・ｍ／ｓ）となる。
【００３６】
本実施形態によれば、上記構成により、以下の各効果を奏することができる。すなわち、上記の通り、ゴルフクラブ１０の合計運動量Ｐ（９５４９ｇ・ｍ／ｓ）を、比較例に係る従来のゴルフクラブの合計運動量Ｐ（８７２０ｇ・ｍ／ｓ）よりも９．５％強大きくすることができるので、ボールの飛距離を向上できる。
【００３７】
図３に示すように、ゴルフクラブ用グリップ１２は、ゴム３６を主成分とするゴム系材料４０の母材にゴム３６よりも比重の大きい重量充填材３８を練り込んでゴム３６内に均等に分散配置させており、これによってゴルフクラブ用グリップ１２自体の重量を大きくしているので、ゴルフクラブ用グリップ１２の内部に重量物を設ける必要がない。また、ゴム系材料４０からなるグリップ本体２０の弾性復元力によって、ゴルフクラブ用グリップ１２をシャフト１４に密着させて簡単に固定することができるとともにグリップ部と重量物とを固定する部材や手間を省略することができる。したがって、ゴルフクラブ用グリップ１２およびゴルフクラブ１０の部品点数を削減でき、これらの製造コストを低減できる。さらに、ゴルフクラブ用グリップ１２から重量物が剥離するといったことがないので、品質を安定させることができる。
【００３８】
図３に示す重量充填材３８として、安価な炭酸カルシウムを用いているので、ゴルフクラブ用グリップ１２およびゴルフクラブ１０の製造コストを低く抑えることができる。また、炭酸カルシウムは錆びることがないので、鉄などに比べて安定した品質を得ることができる。
【００３９】
図２に示すように、グリップ本体２０の表面には、グリップ重心Ｇ２の位置を示す印３０が設けられているので、ゴルフプレーヤーＷ（図１）は、印３０を見てグリップ重心Ｇ２の位置を瞬時に知ることができ、グリップ重心Ｇ２を中心とした握りを簡単に行うことができる。グリップ重心Ｇ２を中心とした握りにより、スウィング時における手や腕の余計な動きを抑制でき、スウィング軌道を安定させることができる。
【００４０】
図４に示すように、グリップ本体２０の表面には、シャフト挿入孔２２の中心線Ｑ（図３）に対して平行に延びる標線３２が設けられているので、ねじれた標線３２を戻すことで、ゴルフクラブ用グリップ１２のねじれを簡単に解消できる。
【００４１】
なお、本発明の実施にあたっては、上記実施形態に限定されず、本発明の目的を逸脱しない限りにおいて種々の変更が可能である。例えば、上記実施形態では、ゴルフクラブ１０がウッドクラブとして構成されているが、ウッドクラブに代えて、アイアンクラブやパタークラブとして構成されてもよい。
【００４２】
図４に示すように、上記実施形態では、ゴルフクラブ用グリップ１２がシャフト１４に対して着脱可能に構成されているので、重量や重量バランスが異なる複数のゴルフクラブ用グリップ１２を予め準備しておき、これらを用途に応じて取り替えるようにしてもよい。
【００４３】
図２に示すように、上記実施形態では、印３０および標線３２が塗料で平面的に設けられているが、印３０および標線３２は、溝または突起をグリップ本体２０の表面に加工することによって立体的に設けられてもよい。また、標線３２は、中心線Ｑ（図３）に対して平行に延びる点線状に設けられてもよい。
【符号の説明】
【００４４】
１０…ゴルフクラブ、１２…ゴルフクラブ用グリップ、１４…シャフト、１６…ヘッド、
１８…ボール、２０…グリップ本体、３０…印、３２…標線、３６…ゴム、３８…重量充填材、４０…ゴム系材料。
【図１】
2017158667.tif 000003
【図２】
2017158667.tif 000004
【図３】
2017158667.tif 000005
【図４】
2017158667.tif 000006